(57)【特許請求の範囲】
【請求項１】
パルプを含むコアを有し、前記コアの両面が被覆シートによって挟まれるように構成されている吸収体を有するパンツ型オムツであって、
前記パンツ型オムツの股間領域内に配置される前記吸収体に、前記パンツ型オムツの長手方向に延びており前記パンツ型オムツの幅方向に離間している２本の折り曲げ線が形成されており、
前記吸収体の所定領域内に、前記パンツ型オムツの幅方向に延びており前記パンツ型オムツの長手方向に離間している複数の圧搾線が形成されており、
前記所定領域は、前記パンツ型オムツの長手方向における端部の近傍の領域を含まない前記吸収体の全領域であり、
前記圧搾線内の幅方向における中心線と前記パンツ型オムツの幅方向とがなす角度は、０°〜４５°の範囲に収まるように構成されており、
前記パンツ型オムツの長手方向において隣接する２本の前記圧搾線は、所定箇所において近づくように構成されていることを特徴とするパンツ型オムツ。
【請求項２】
前記吸収体において、隣接する前記圧搾線によって囲まれる領域は、ダイヤ型形状となるように構成されており、
隣接する２本の前記圧搾線は、前記ダイヤ型形状の頂点において交わるように構成されていることを特徴とする請求項１に記載のパンツ型オムツ。
【請求項３】
前記パンツ型オムツの幅方向における前記ダイヤ型形状の寸法は、前記パンツ型オムツの長手方向における前記ダイヤ型形状の寸法よりも長くなるように構成されていることを特徴とする請求項２に記載のパンツ型オムツ。
【請求項４】
前記コアは、パルプ及びＳＡＰが混合している中間層及びパルプの層からなり、
前記折り曲げ線は、スリットによって形成されており、
前記スリットの壁面に、前記パルプの層が存在するように構成されていることを特徴とする請求項１乃至３のいずれか一項に記載のパンツ型オムツ。
【請求項５】
前記パンツ型オムツの幅方向の剛性は、前記パンツ型オムツの長手方向の剛性よりも高くなるように構成されていることを特徴とする請求項１乃至４のいずれか一項に記載のパンツ型オムツ。
【請求項６】
パルプ及びＳＡＰが混合している中間層及びパルプの層からなるコアを有し、前記コアの両面が被覆シートによって挟まれるように構成されている吸収体を有するパンツ型オムツであって、  前記パンツ型オムツの股間領域内に配置される前記吸収体に、前記パンツ型オムツの長手方向に延びており前記パンツ型オムツの幅方向に離間している２本のスリットが形成されており、  前記吸収体の前記パンツ型オムツの幅方向における前記２本のスリットの間の領域と、前記パンツ型オムツの幅方向において前記スリットから前記吸収体の側縁部に向かって広がる台形領域とに加え、前記パンツ型オムツの長手方向における端部の近傍の領域を含まない前記吸収体の全領域において、前記パンツ型オムツの幅方向に延びており前記パンツ型オムツの長手方向に離間している複数の圧搾線が形成されており、  前記圧搾線内の幅方向における中心線と前記パンツ型オムツの幅方向とがなす角度は、０°〜４５°の範囲に収まるように構成されており、  前記吸収体において、隣接する前記圧搾線によって囲まれる領域は、ダイヤ型形状となるように構成されており、  前記パンツ型オムツの幅方向における前記ダイヤ型形状の寸法は、前記パンツ型オムツの長手方向における前記ダイヤ型形状の寸法よりも長くなるように構成されており、  隣接する２本の前記圧搾線は、前記ダイヤ型形状の頂点において交わるように構成されており、  前記スリットの壁面に、前記パルプの層が存在するように構成されていることを特徴とするパンツ型オムツ。
【発明の詳細な説明】
【技術分野】
【０００１】
本発明は、パンツ型オムツに関する。
【背景技術】
【０００２】
従来、パンツ型オムツでは、パンツ型オムツの股下領域に配置される部分の幅が狭い砂時計型の吸収体が使われることが知られている（例えば、特許文献１）。
【先行技術文献】
【特許文献】
【０００３】
【特許文献１】特開平４-５０３１６８号公報
【発明の概要】
【発明が解決しようとする課題】
【０００４】
しかしながら、出願人は、上述のパンツ型オムツについて、以下のような問題点があることを発見した。
【０００５】
かかるパンツ型オムツでは、着用者によって尿が排出される股間領域に配置される吸収体の幅が狭いため、尿が漏れる可能性が高いという問題点があった。
【０００６】
そこで、かかる問題点を解決するために、かかるパンツ型オムツにおいて、パンツ型オムツの股下領域に配置される吸収体の幅を広げることによって、かかる吸収体の表面積を広げるように構成することが考えられた。
【０００７】
しかしながら、かかる構成によれば、着用者がパンツ型オムツを着用した際に違和感が出てしまうという問題点があった。
【０００８】
そこで、本発明は、上述の課題に鑑みてなされたものであり、尿漏れを回避しつつ、着用時の違和感を低減することができるパンツ型オムツを提供することを目的とする。
【課題を解決するための手段】
【０００９】
本発明の第１の特徴は、パルプを含むコアを有し、前記コアの両面が被覆シートによって挟まれるように構成されている吸収体を有するパンツ型オムツであって、前記パンツ型オムツの股間領域内に配置される前記吸収体に、前記パンツ型オムツの長手方向に延びており前記パンツ型オムツの幅方向に離間している２本の折り曲げ線が形成されており、前記吸収体の所定領域内に、前記パンツ型オムツの幅方向に延びており前記パンツ型オムツの長手方向に離間している複数の圧搾線が形成されており、前記所定領域は、前記パンツ型オムツの幅方向における前記２本の折り曲げ線の間の領域と、前記パンツ型オムツの幅方向において前記折り曲げ線から前記吸収体の側縁部に向かって広がる台形領域とであり、前記圧搾線内の幅方向における中心線と前記パンツ型オムツの幅方向とがなす角度は、０°〜４５°の範囲に収まるように構成されており、前記パンツ型オムツの長手方向において隣接する２本の前記圧搾線は、所定箇所において近づくように構成されていることを要旨とする。
【００１０】
本発明の第２の特徴は、パルプ及びＳＡＰが混合している中間層及びパルプの層からなるコアを有し、前記コアの両面が被覆シートによって挟まれるように構成されている吸収体を有するパンツ型オムツであって、前記パンツ型オムツの股間領域内に配置される前記吸収体に、前記パンツ型オムツの長手方向に延びており前記パンツ型オムツの幅方向に離間している２本のスリットが形成されており、前記所定領域は、前記吸収体の一方の側縁部から他方の側縁部まで幅方向に延びる領域であり、前記吸収体の前記パンツ型オムツの幅方向における前記２本のスリットの間の領域と、前記パンツ型オムツの幅方向において前記折り曲げ線から前記吸収体の側縁部に向かって広がる台形領域とにおいて、前記パンツ型オムツの幅方向に延びており前記パンツ型オムツの長手方向に離間している複数の圧搾線が形成されており、前記圧搾線内の幅方向における中心線と前記パンツ型オムツの幅方向とがなす角度は、０°〜４５°の範囲に収まるように構成されており、前記吸収体において、隣接する前記圧搾線によって囲まれる領域は、ダイヤ型形状となるように構成されており、前記パンツ型オムツの幅方向における前記ダイヤ型形状の寸法は、前記パンツ型オムツの長手方向における前記ダイヤ型形状の寸法よりも長くなるように構成されており、隣接する２本の前記圧搾線は、前記ダイヤ型形状の頂点において交わるように構成されており、前記スリットの壁面に、前記パルプの層が存在するように構成されていることを要旨とする。
【発明の効果】
【００１１】
以上説明したように、本発明によれば、尿漏れを回避しつつ、着用時の違和感を低減することができるパンツ型オムツを提供することができる。
【図面の簡単な説明】
【００１２】
【図１】本発明の第１の実施形態に係るパンツ型オムツの後方から見た外観図である。
【図２】本発明の第１の実施形態に係るパンツ型オムツの展開図である。
【図３】本発明の第１の実施形態に係るパンツ型オムツの吸収体の平面図である。
【図４】本発明の第１の実施形態に係るパンツ型オムツの吸収体の平面図におけるＸ-Ｘ’断面図である。
【図５】本発明の第１の実施形態に係るパンツ型オムツの吸収体における圧搾線及び折り曲げ線の寸法の一例を示す図である。
【図６】本発明の第１の実施形態に係るパンツ型オムツの吸収体の平面図である。
【図７】本発明の第１の実施形態に係るパンツ型オムツの吸収体の製造方法を説明するための図である。
【図８】本発明の第１の実施形態に係るパンツ型オムツの吸収体の製造方法を説明するための図である。
【図９】本発明の変形例に係るパンツ型オムツの吸収体の平面図である。
【図１０】本発明の変形例に係るパンツ型オムツの吸収体の平面図である。
【発明を実施するための形態】
【００１３】
（本発明の第１の実施形態）
図１乃至図８を参照して、本発明の第１の実施形態に係るパンツ型オムツ１について説明する。
【００１４】
図１に、本実施形態に係るパンツ型オムツ１の後方から見た外観図を示し、図２に、本発明の第１の実施形態に係るパンツ型オムツ１の展開図を示す。
【００１５】
図１及び図２に示すように、本実施形態に係るパンツ型オムツ１は、アウター部（シャーシ）１０及びインナー部（吸収体本体）２０を有している。
【００１６】
図２に示すように、アウター部１０は、股下領域Ａと、前胴回り領域Ｂと、後胴回り領域Ｃとを有している。
【００１７】
ここで、インナー部２０は、図２に示すように、アウター部１０のパンツ型オムツ１の肌当接面側に、股下領域Ａから前胴回り領域Ｂ及び後胴回り領域Ｃに渡って設けられている。なお、図２に示すように、前胴回り領域Ｂ及び後胴回り領域Ｃでは、インナー部２０は、幅方向Ｗの中央領域に設けられている。
【００１８】
また、本実施形態に係るパンツ型オムツ１では、前胴回り領域Ｂの両側縁部と後胴回り領域Ｃの両側縁部とが接合されるように構成されている。
【００１９】
ここで、アウター部１０には、腰回りギャザー（ウェストギャザー）用弾性部材１２０Ａや胴回りギャザー（フィットギャザー）用弾性部材１２０Ｂや脚回りギャザー（レッグギャザー）用弾性部材１２０Ｃが伸張された状態で保持されている。
【００２０】
また、インナー部２０は、液透過性のシートであるトップシート（図示せず）と、液不透過性のシートであるバックシート（図示せず）と、トップシート及びバックシートの間に配置される吸収体２を有する。
【００２１】
また、インナー部２０では、吸収体２の長手方向Ｌの両側部に、長手方向Ｌの延びる弾性部材を有する防漏壁（立体ギャザー）が設けられている。
【００２２】
図３に、パンツ型オムツ１の肌当接面側から見た吸収体２の平面図をし、図４に、かかる吸収体２の平面図におけるＸ-Ｘ’断面図を示す。
【００２３】
また、図５（ａ）及び図５（ｂ）に、折り曲げ線３Ａ/３Ｂ（後述）がスリットによって形成されており、隣接する圧搾線４Ａによって囲まれる領域４Ｂがダイヤ型形状として形成されている場合における各部のサイズの一例について示す。
【００２４】
図４に示すように、吸収体２は、パルプ及びＳＡＰが混合されている中間層２Ａ及びパルプの層２Ｂからなるコアを有し、かかるコアの両面が被覆シート２Ａによって挟まれるように構成されている。
【００２５】
ここで、パルプの目付けは、１００ｇ/ｍ２から５００ｇ/ｍ２の範囲内にあることが望ましく（例えば、１５１ｇ/ｍ２）、ＳＡＰの目付けは、０ｇ/ｍ２から３００ｇ/ｍ２の範囲内になることが望ましい（例えば、１０６ｇ/ｍ２）。
【００２６】
また、パルプの含有量とＳＡＰの含有量の比率であるＳＡＰ率は、０％から６０％の範囲内にあることが望ましい（例えば、４１％）。
【００２７】
また、吸収体２の形状は、長方形であってもよいし、砂時計型であってもよい。本実施形態に係るパンツ型オムツ１では、砂時計型の吸収体２が用いられている。
【００２８】
図３に示すように、砂時計型の吸収体２の場合は、吸収体２における最も幅の広い部分の寸法Ｗ２１と吸収体２における最も幅の狭い部分の寸法Ｗ２２との比率は、５：３から１：１の範囲内にあることが望ましい（例えば、４：３）。
【００２９】
一方、長方形の吸収体２の場合は、縦横の長さの比は、１：１から１：３の範囲内にあることが望ましい（例えば、１０：２７）。
【００３０】
図３に示すように、吸収体２には、長手方向Ｌに延びており幅方向Ｗに離間している２本の折り曲げ線３Ａが形成されている。ここで、図３に示すように、２本の折り曲げ線３Ａは、長手方向Ｌに沿う中心線ＣＬ１に対して左右対称に離間して配置されていてもよい。
【００３１】
かかる折り曲げ線３Ａは、スリットによって形成されていてもよいし、圧搾部（エンボス部）によって形成されていてもよい。ここで、スリットとは、図４に示すように、パルプ及びＳＡＰが積層されていない領域を示す。
【００３２】
なお、スリットによって折り曲げ線３Ａを形成した方が、折り曲げ線３Ａが形成されている領域と折り曲げ線３の周辺領域との間の剛性差が大きくなるため、吸収体２の側部が立ち上がりやすくなる。
【００３３】
かかる折り曲げ線３Ａが、スリットによって形成されている場合、図４に示すように、折り曲げ線３Ａ（スリット３Ａ）の壁面には、パルプ及びＳＡＰが混合している中間層２Ａが存在せず、パルプの層２Ｂが存在するように構成されている。すなわち、かかる場合、パルプの層２Ｂの内部に、中間層２Ａが配置されるように構成されている。
【００３４】
かかる構成によれば、パルプの層２Ｂに対しての方が中間層２Ａに対してよりも圧搾部（エンボス部）を形成しやすい。そして、スリット３Ａの壁面に存在するパルプの層２Ｂにおいて圧搾部が形成されたところがシールされるので、ＳＡＰが出てきにくくなり、スリット３Ａが崩れにくくなり、吸収体２Ａの折り曲げやすさが持続する。
【００３５】
また、かかる折り曲げ線３Ａの少なくとも２本は、パンツ型オムツ１の股間領域Ａ内に配置される吸収体２の領域内に形成されるように構成されている。
【００３６】
例えば、図５（ａ）に示すように、スリット３Ａの離間距離は、２０ｍｍから１００ｍｍの範囲内にあることが望ましく（例えば、７０ｍｍ）、スリット３Ａの長さは、３０ｍｍから１５０ｍｍの範囲内にあることが望ましく（例えば、９５ｍｍ）、スリット３Ａの溝の幅は、５ｍｍから２５ｍｍの範囲内にあることが望ましい（例えば、１ｍｍ）。
【００３７】
また、スリット３Ａは、吸収体２の長手方向Ｌの前端部又は後端部に向かって湾曲していてもよいし、吸収体２の幅方向Ｗの両縁部に向かって湾曲していてもよい。ここで、湾曲しているスリット３Ａによれば、着用者の太腿方向からかかる力に対して均一に作用することができる。
【００３８】
また、図３に示すように、かかる折り曲げ線３Ａ以外にも、複数の折り曲げ線、例えば、折り曲げ線３Ｂ（スリット３Ｂ）が形成されていてもよい。
【００３９】
かかるスリット３Ｂは、スリット３Ａに対して所定角度だけ傾斜するように配置されていてもよい。例えば、スリット３Ａに対するスリット３Ｂの傾斜角は、スリット３Ａに対する圧搾線４Ａ（後述）の傾斜角と同じであってもよい。
【００４０】
かかる構成によれば、着用者の股下及び脚の動きに対して、吸収体２が可動しやすくなり、着用者に対する歩行時の異物感を軽減することができる。具体的には、スリット３Ａが、着用者の股下の幅方向Ｗの可動に対応し、スリット３Ｂが、着用者の脚の長手方向Ｌ（前後方向）の可動に対応する。
【００４１】
また、長手方向Ｌの中心線ＣＬ１上に、折り曲げ線（スリット）が形成されていてもよい（図示せず）。
【００４２】
さらに、図３に示すように、吸収体２には、幅方向Ｗに延びており長手方向Ｌに離間している複数の圧搾線４Ａが形成されている。ここで、かかる圧搾線４Ａは、少なくとも、折り曲げ線３Ａが形成されている吸収体２の所定領域内に形成されるように構成されている。なお、かかる所定領域は、吸収体２の一方の側縁部から他方の側縁部まで幅方向Ｗに延びる領域である。
【００４３】
ここで、本実施形態に係るパンツ型オムツ１では、かかる圧搾線４Ａは、かかる所定領域を含む吸収体２の全域に渡って形成されるように構成されている。
【００４４】
なお、かかる圧搾線４Ａは、パンツ型オムツ１の肌当接面側からのエンボス加工によって形成されていてもよいし、パンツ型オムツ１の衣服当接面側からのエンボス加工によって形成されていてもよいし、両面側からのエンボス加工によって形成されていてもよい。
【００４５】
また、かかるエンボス加工は、コアに対して直接施してもよいし、被覆シート２Ｃの上から施してもよいし、トップシート或いはバックシートの上から施してもよい。ここで、被覆シート２Ｃ又はトップシートの上からエンボス加工を施すことによって、エンボス加工を施すロールへの巻きつきトラブルを回避することができる。
【００４６】
なお、かかるエンボス加工を施す場合、エンボス加工を施すロールにかける圧力は、１０Ｍｐａから５０Ｍｐａの範囲内にあることが望ましく、温度は、６０℃から１００℃の範囲内にあることが望ましく、ライン速度は、５０ｍ/ｍｉｎから５００ｍ/ｍｉｎの範囲内にあることが望ましい。
【００４７】
図５（ａ）及び図５（ｂ）に示すように、吸収体２において、隣接する圧搾線４Ａによって囲まれる領域４Ｂは、ダイヤ型形状（格子型形状）となるように構成されていてもよい。
【００４８】
ここで、図５（ａ）及び図５（ｂ）に示すように、幅方向Ｗにおけるダイヤ型形状４Ｂの寸法は、長手方向Ｌにおけるダイヤ型形状４Ｂの寸法よりも長くなるように構成されていてもよい。
【００４９】
すなわち、隣接するダイヤ型形状の頂点４Ｃ間における長手方向Ｌの距離βは、隣接するダイヤ型形状の頂点４Ｃ間における幅方向Ｗの距離αよりも長くなるように構成されていてもよい。
【００５０】
具体的には、図５（ｂ）に示すように、隣接するダイヤ型形状の頂点４Ｃ間における幅方向Ｗの距離αは、１０ｍｍから４０ｍｍの範囲内になることが望ましく（例えば、２０ｍｍ）、隣接するダイヤ型形状の頂点４Ｃ間における長手方向Ｌの距離βは、１０ｍｍから４０ｍｍの範囲内になることが望ましい（（例えば、２５ｍｍ）。
【００５１】
なお、吸収体２において、隣接する圧搾線４Ａによって囲まれる領域４Ｂは、ダイヤ型形状以外の他の形状となるように構成されていてもよい。
【００５２】
例えば、隣接する圧搾線４Ａによって囲まれる領域４Ｂは、図６（ａ）及び図６（ｂ）に示すように、波形の圧搾線４Ａによって囲まれる形状であってもよいし、図６（ｃ）乃至図（ｆ）に示すように、幅方向Ｗに対して傾斜している圧搾線４Ａ１及び幅方向Ｗに概平行な圧搾線４Ａ２によって囲まれる形状であってもよい。
【００５３】
また、長手方向Ｌにおいて隣接する２本の圧搾線４Ａは、所定箇所において近づくように構成されている。
【００５４】
図５（ａ）及び図５（ｂ）に示すように、吸収体２において、隣接する圧搾線４Ａによって囲まれる領域４Ｂは、ダイヤ型形状となるように構成されている場合、隣接する２本の圧搾線４Ａは、ダイヤ型形状の頂点において交わるように構成されていてもよい。
【００５５】
かかる構成によれば、隣接する２本の圧搾線４Ａが連結しているため、吸収体２の剛性が高くなり、着用者の可動による外力を受けた場合の股ずれを回避することができる。
【００５６】
また、長手方向Ｌにおいて、隣接する２本の圧搾線４Ａは、交わらないように構成されていてもよい。かかる構成によれば、被覆シート２Ｃが、ティッシュの場合であっても、破れにくくなるという効果を奏することができる。
【００５７】
例えば、図５（ｂ）に示すように、圧搾線４Ａの溝の幅は、０.５ｍｍから５ｍｍの範囲内にあることが望ましく（例えば、１ｍｍ）、圧搾線４Ａの溝の高さは、０.１ｍｍから８ｍｍの範囲内にあることが望ましい（例えば、２ｍｍ）。
【００５８】
また、図５（ｂ）に示すように、圧搾線４Ａ内の幅方向Ｗにおける中心線ＣＬと幅方向Ｗとがなす角度は、０°〜４５°の範囲に収まるように構成されている。
【００５９】
上述の構成によって、パンツ型オムツ１における幅方向Ｗの剛性は、パンツ型オムツ１における長手方向Ｌの剛性よりも高くなるように構成されている。
【００６０】
ここで、パンツ型オムツ１における幅方向Ｗの剛性及びパンツ型オムツ１における長手方向Ｌの剛性は、以下のように、ＫＥＳ-ＦＢという装置を用いて行うことができる。
【００６１】
かかる装置には、移動チャック及び固定チャックという２つのチャックが設けられており、かかる２つのチャックにサンプルを固定して、上述の剛性を測定することができる。
【００６２】
具体的には、かかる装置では、測定時に、移動チャックが、固定チャックを起点とした円周上を動くため、サンプルが曲がり、そのときの曲げモーメントを測定することで、サンプルの曲げの剛性（Ｂ［ｇｆ・ｃｍ/ｃｍ］）を測定することができる。
【００６３】
かかる装置では、固定チャック及び移動チャックの間における１００ｍｍ×５０ｍｍの領域における曲げの剛性を測定することができる。なお、常に均一な測定結果を算出するために、かかる領域内に、２つのダイヤ型形状が入るようにセットする。
【００６４】
具体的な測定手順は、以下の通りである。
【００６５】
第１に、サンプルの厚みに合わせて固定チャック及び移動チャックを開き、両者の間にサンプルを挿入し、第２に、移動チャックの締め付けねじを締め、第３に、固定チャックの締め付けねじを締め、サンプルを固定する。
【００６６】
第４に、固定チャックが、ピアノ線でトルク計に連結されているため、かかるピアノ線の捻れによるトルクを検出する。
【００６７】
ここで、パルプの目付けが１４５ｇ/ｍ２である１００ｍｍ×１００ｍｍの正方形の薄型吸収体用サンプル、及び、パルプの目付け２５７ｇ/ｍ２である１００ｍｍ×１００ｍｍの正方形の厚型吸収体用サンプルを用いて、上述の測定を行った結果について示す。
【００６８】
第１に、図５（ａ）及ぶ図５（ｂ）に示すエンボス加工が施された薄型吸収体用サンプル、及び、エンボス加工が施されていない薄型吸収体用サンプルに対して上述の測定を行った。
【００６９】
その結果、エンボス加工が施された薄型吸収体用サンプルでは、長手方向Ｌ（ＭＤ方向）における曲げの剛性は「０.４０Ｂ」となり、幅方向Ｗ（ＣＤ方向）における曲げの剛性は「０.２３Ｂ」となった。
【００７０】
一方、エンボス加工が施されていない薄型吸収体用サンプルでは、長手方向Ｌ（ＭＤ方向）における曲げの剛性は「０.２２Ｂ」となり、幅方向Ｗ（ＣＤ方向）における曲げの剛性は「０.２１Ｂ」となった。
【００７１】
したがって、エンボス加工が施された薄型吸収体用サンプルでは、幅方向Ｗの剛性は、長手方向Ｌの剛性よりも高くなるように構成されていることが分かる。
【００７２】
第２に、図５（ａ）及ぶ図５（ｂ）に示すエンボス加工が施された厚型吸収体用サンプル、及び、エンボス加工が施されていない厚型吸収体用サンプルに対して上述の測定を行った。
【００７３】
その結果、エンボス加工が施された厚型吸収体用サンプルでは、長手方向Ｌ（ＭＤ方向）における曲げの剛性は「１.６０Ｂ」となり、幅方向Ｗ（ＣＤ方向）における曲げの剛性は「１.１８Ｂ」となった。
【００７４】
一方、エンボス加工が施されていない厚型吸収体用サンプルでは、長手方向Ｌ（ＭＤ方向）における曲げの剛性は「１.１２Ｂ」となり、幅方向Ｗ（ＣＤ方向）における曲げの剛性は「１.１０Ｂ」となった。
【００７５】
したがって、エンボス加工が施された厚型吸収体用サンプルでは、幅方向Ｗの剛性は、長手方向Ｌの剛性よりも高くなるように構成されていることが分かる。
【００７６】
このように、エンボスが施された吸収体において、長手方向Ｌ（ＭＤ方向）が、幅方向Ｗ（ＣＤ方向）に対して１.３倍以上の剛性を有しており、且つ、幅方向Ｗ（ＣＤ方向）が、エンボス加工前の１.１倍以内の剛性を有していることが呼好ましい。
【００７７】
以下、図７及び図８を参照して、本実施形態に係るパンツ型オムツ１の吸収体２の製造方法の一部について説明する。なお、図７及び図８に記載されていない方法については、既存の方法を用いることができる。
【００７８】
図７に示すように、ステップＳ１００Ａにおいて、搬送ベルト１０１Ａによって、ＭＤ方向に、被覆シート（ティッシュ）用ウェブを搬送する。ここで、被覆シート用ウェブ上に、吸収体２を固定するためのホットメルトを塗布する。
【００７９】
ステップＳ１００Ｂにおいて、吸収体積層ドラム１０１Ｂ上に、パルプ及びＳＡＰからなるコアを集積する。
【００８０】
ここで、吸収体積層ドラム１０１Ｂは、図８（ａ）に示すように、非吸引部１０１Ｂ１と、吸引部１０１Ｂ２とを具備している。
【００８１】
したがって、図８（ｂ）に示すように、ステップＳ１００Ｂにおいて、吸引部１０１Ｂ２に設けられているサクション孔を介して、吸収体積層ドラム１０１Ｂ上に集積されたコアを吸引することによって、スリット３Ａを形成し、図８（ｃ）に示すように、スリット３Ａが形成されているコアを搬送ベルト１０１Ａ上に移転する。
【００８２】
ステップＳ１００Ｃにおいて、セーラーによって、被覆シート用ウェブによってコアを被覆する。
【００８３】
ステップＳ１００Ｄにおいて、平プレス用ローラ１０２Ａ/１０２Ｂによって、被覆シート用ウェブの上からコアを圧着することによって、予め、吸収体２の嵩を抑える。この結果、被覆シート用ウェブの破れを防止することができる。
【００８４】
ステップＳ１００Ｅにおいて、ローラ１０３Ａ/１０３Ｂによって、肌当接面側或いは衣服当接面側からコアを圧着する。ここで、ローラ１０３Ａに、図５（ａ）及び図５（ｂ）に示すエンボス加工用のパターンが設けられている。
【００８５】
肌当接面側からエンボス加工を行った場合、吸収体２の肌当接面側に凹部が存在することで、排尿後の湿潤したトップシートの表面が、着用者の肌に接触する面積を少なくすることが可能である。
【００８６】
また、衣服当接面側からエンボス加工を行った場合、エンボス加工が施された面が、バックシート側に存在し、被覆シート２Ｃ及びバックシート用フィルムが、全面で接着されるため、ＳＡＰの粒子が、破れた箇所から自由に移動することが  ないので、結果的に、パンツ型オムツ１の表面に、こぼれ出るリスクを最小化することができる。
【００８７】
ステップＳ１００Ｆにおいて、被覆シート用ウェブの上から、コアに対して、トップシート用ウェブを張り合わせる。
【００８８】
本実施形態に係る吸収性物品１によれば、折り曲げ線３Ａ/３Ｂと共に、圧搾部４Ａを形成するように構成されているため、股間領域Ａに配置される吸収体２の幅が広い場合であっても、長手方向Ｌの柔らかさを損なうことなく、吸収体２の側部を立ち上がりやすくすることができる。したがって、尿漏れを回避しつつ、着用者の着用感を高めることができる。
【００８９】
また、本実施形態に係る吸収性物品１によれば、圧搾線４Ａが、股間領域Ａ内に配置される吸収体２の所定領域内に形成されており、長手方向Ｌに隣接する圧搾線４Ａが、所定箇所において近づくように構成されているため、着用者によって排泄された尿が、長手方向Ｌに拡散することができ、横漏れを低減することができる。
【００９０】
（変更例）
図９及び図１０を参照して、本発明の変更例に係るパンツ型オムツ１について説明する。以下、本変更例に係るパンツ型オムツ１について、上述の第１の実施形態に係るパンツ型オムツ１との相違点に着目して説明する。
【００９１】
図９及び図１０に示すように、本変更例に係るパンツ型オムツ１では、圧搾線４Ａは、吸収体２の全域に形成されていなくてもよい。
【００９２】
例えば、圧搾線４Ａは、図９に示すように、股下領域Ａの幅方向Ｗの中央領域では、吸収体２の一方の側縁部から他方の側縁部まで幅方向Ｗに延びる領域で、かつ、長手方向Ｌにおいて折り曲げ線３Ａが形成されている領域内に延びる領域内に形成されており、股下領域Ａの幅方向Ｗの中央領域と吸収体２の両側縁部との間の領域では、股下領域Ａの幅方向Ｗの中央領域から吸収体２の両側縁部に向かって広がる台形領域内に形成されていてもよい。
【００９３】
また、圧搾線４Ａは、図１０に示すように、長手方向Ｌにおける端部の近傍の領域Ｂには形成されておらず、それ以外の領域の全域に渡って形成されていてもよい。
【００９４】
かかる構成によれば、圧搾線４Ａが、長手方向Ｌにおける端部の近傍の領域Ｂには形成されていないため、着用者によって排泄されて拡散されてきた尿が、かかる領域Ｂで留まることによって、長手方向Ｌの端部から滲み出てしまうという事態を回避することができる。
【００９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９６】
１…パンツ型オムツ
２…吸収体
２Ａ…中間層
２Ｂ…パルプの層
２Ｃ…被覆シート
３Ａ、３Ｂ…折り曲げ線
４…圧搾線
１０…アウター部
２０…インナー部
１２０Ａ…腰回りギャザー用弾性部材
１２０Ｂ…胴回りギャザー用弾性部材
１２０Ｃ…脚回りギャザー用弾性部材
【図１】
0005847999.tif 000002
【図２】
0005847999.tif 000003
【図３】
0005847999.tif 000004
【図４】
0005847999.tif 000005
【図５】
0005847999.tif 000006
【図６】
0005847999.tif 000007
【図７】
0005847999.tif 000008
【図８】
0005847999.tif 000009
【図９】
0005847999.tif 000010
【図１０】
0005847999.tif 000011